(57)【要約】【課題】細い糸状拭材に対してもその先端まで充分にクリーニング液が浸潤し、また、クリーナ用ディスクへの組み付けも容易な光ディスク装置の光ヘッドクリーナを提供する。【解決手段】布製パッド１３の表面から所定長さの糸状拭材１４が伸長するようにこの糸状拭材１４を布製パッド１３に固着し、クリーナ用光ディスク１０の記録面側に凹部１２を形成し、この凹部１２に、糸状拭材１４を固着した布製パッド１３を装着し、この布製パッド１３の表面に浸されたクリーニング液が糸状拭材１４へ浸潤するようにした。【選択図】  図３
2008269685.tif 000002
【特許請求の範囲】
【請求項１】
布製パッドの表面から所定長さの糸状拭材が伸長するように該糸状拭材を該布製パッドに固着し、クリーナ用光ディスクの記録面側に凹部を形成し、前記凹部に、前記糸状拭材を固着した前記布製パッドを装着し、前記布製パッドの表面に浸されたクリーニング液が前記糸状拭材へ浸潤するようにしたことを特徴とする光ディスク装置の光ヘッドクリーナ。
【請求項２】
前記凹部は、クリーナ用光ディスクの記録領域に隣接しかつ該記録領域を外れた内側の非記録領域のディスク表面に形成され、前記糸状拭材は、該糸状拭材の先端部が前記クリーナ用ディスクの内周側記録領域部分の上側へ伸長するように、傾斜状態に前記布製パッドに固着されることを特徴とする請求項１に記載の光ディスク装置の光ヘッドクリーナ。
【請求項３】
前記糸状拭材の先端部は、前記クリーナ用光ディスクの記録領域の最内周部近傍位置の上方に位置することを特徴とする請求項２に記載の光ディスク装置の光ヘッドクリーナ。
【請求項４】
前記布製パッドは、吸水性の不織布で形成され、前記糸状拭材は、その根元が前記布製パッドに縫い込まれるようにして該パッドに固着され、前記布製パッド上に滴下されたクリーニング液が前記糸状拭材の根元から先端部へ浸潤するようにしたことを特徴とする請求項１〜３に記載の光ディスク装置の光ヘッドクリーナ。
【発明の詳細な説明】
【技術分野】
【０００１】
本発明は、一般にＣＤ、ＭＯあるいはＤＶＤ等と称される光記録ディスク、光磁気ディスク（以下、光ディスク）の記録面を走査する光ヘッドのレンズを清掃する光ヘッドクリーナ、特に、光ディスク装置に装填して光ディスク装置を作動させながらピックアップヘッドのレンズ清掃を行う光ディスク装置の光ヘッドクリーナに関する。
【背景技術】
【０００２】
この種の光ディスクに記録されている音声や画像等のデータの読出し、あるいは光ディスクへのデータ書込み／読出しを行う光ヘッドは、光ディスクの記録領域に対峙する小径のレンズを備えている。このレンズの表面に埃りや染み等の汚れがあると、エラーが発生したり、良好な音声や映像の記録、再生ができなくなるので、定期的に、あるいは必要に応じて随時、レンズ表面を清掃しなければならない。
【０００３】
従来から、糸状の拭材を密に並べてブラシ状とし、これをクリーナ用光ディスクの記録面に植え込み、このクリーナ用光ディスクを光ディスク装置に装填して該光ディスクを回転動作させ、光ヘッドが前記クリーナ用光ディスク上の糸状拭材位置を通過するときに該拭材でレンズ表面を軽く擦過清掃するという方法がとられている。
【０００４】
この方法を用いた光ヘッド用レンズクリーナとして、特許文献１に示すように、光ディスク表面の記録領域を外れた中心側の環状帯部に傾斜貫通孔を穿孔し、この貫通孔に糸束状の拭材を、先端が記録領域の上方へ傾斜状に伸びるように埋め込んでその基部を固定した構造のものがある。
【０００５】
また他の例として、特許文献２に示すように、クリーナ用光ディスクのトック信号記録領域に貫通孔を穿ち、この貫通孔にバネ性薄板をその周縁部で固着し、前記バネ性薄板の中心部にレンズ清掃用拭材を固着した光ヘッドクリーナが知られている。
【０００６】
上述の光ヘッドクリーナはいずれも、ブラシ状の拭材による擦過だけでレンズ清掃を行うものであり、いわば乾式タイプであるが、拭材にクリーニング液を加味してレンズを清掃する湿式タイプのものもある。
【０００７】
図１はこの湿式タイプの光ヘッドクリーナの断面図である。ディスク１の記録領域３の内側に糸状拭材４を通す小孔５を穿ち、ディスク１の裏面（記録面と反対側の面）の小孔位置に浅い凹部６を形成し、拭材４の糸を小孔５に通して先端を記録領域側へ延ばすとともに、ディスク裏面では糸を凹部６に這わせるようにして凹部内に接着固定し、さらに、この凹部６に、小孔５にかぶさるように不織布８を貼り付けた構造としている。使用時には、ディスク裏面側で凹部の不織布８にクリーニング液を１滴たらすと、液が小孔５を通る糸に浸潤するので、記録面側の糸７が湿った状態となる。
【特許文献１】特許第３０１２６３９号公報
【特許文献２】特開２００５−５６４５０号公報
【発明の開示】
【発明が解決しようとする課題】
【０００８】
特許文献１は拭材をディスクの非記録領域に取り付け、そこから拭材先端を記録領域の上方へ斜めに伸ばすようにしたので、記録面全域を例えば清掃メッセージやテスト音等の記録用に使用でき、その点では大きなメリットはあるものの、ディスク面に対して傾斜した貫通孔を明けるのに治具等をもちいなければならない不便がある。
【０００９】
また特許文献２では、拭材をバネ性薄板上に支持するため、光ヘッドに過大な接触圧がかからず、光ヘッドの傷付き等が防止されるという利点があるが、ブラシ状の拭材をバネ性薄板上に固着し、さらにこの薄板をディスク面に形成した凹部に固着しなければならないので、組付け工数が増え、その分コスト高になるという問題がある。また、これらの文献１，２のものは乾式であるため、レンズの汚れの程度、汚れの種類によっては充分に汚れを除去しきれないことがあった。  
【００１０】
図１に示す湿式タイプのものは、糸材を極細の小孔に通し、その裏面側から糸材を固定している不織布の部分にクリーニング液を滴下し、液の浸透性を利用して糸材を湿らす構造のため、クリーニング液が微細な糸剤の先端まで充分に到達しないという不具合がある。特に、使用中に糸材が小孔から抜け出ないように糸材を極細の小孔にきつく通しているため、ディスク裏面の不織布の液がこの小孔部分から糸材をつたわってその先端まで浸透させるのが難しく、湿式タイプの機能が充分発揮できないといった問題があった。
【００１１】
本発明は、上述の問題に鑑み、細い糸状の拭材にもその先端まで充分にクリーニング液が浸潤し、しかもクリーナ用ディスクへの組付けも容易な光ディスク装置の光ヘッドクリーナを提供することにある。
【課題を解決するための手段】
【００１２】
本発明に係る光ディスクの光ヘッドクリーナは、布製パッドの表面から所定長さの糸状拭材が伸長するように該糸状拭材を該布製パッドに固着し、クリーナ用光ディスクの記録面側に凹部を形成し、前記凹部に、前記糸状拭材を固着した前記布製パッドを装着し、前記布製パッドの表面に浸されたクリーニング液が前記糸状拭材へ浸潤するようにしたことを特徴とするものである。
【００１３】
本発明の１つの形態によれば、請求項１に記載の光ディスク装置の光ヘッドクリーナにおいて、前記凹部は、クリーナ用光ディスクの記録領域に隣接しかつ該記録領域を外れた内側の非記録領域のディスク表面に形成され、前記糸状拭材は、該糸状拭材の先端部が前記クリーナ用ディスクの内周側記録領域部分の上側へ伸長するように、傾斜状態に前記布製パッドに固着されている。
【００１４】
本発明の他の形態によれば、請求項２に記載の光ディスク装置の光ヘッドクリーナにおいて、前記糸状拭材の先端部は、前記クリーナ用光ディスクの記録領域の最内周部近傍位置の上方に位置している。
【００１５】
また、本発明の他の実施形態によれば、請求項１〜３に記載の光ディスク装置の光ヘッドクリーナにおいて、前記布製パッドは、吸水性の不織布で形成され、前記糸状拭材は、その根元が前記布製パッドに縫い込まれるようにして該パッドに固着され、前記布製パッド上に滴下されたクリーニング液が前記糸状拭材の根元から先端部へ浸潤するようにされている。
【発明の効果】
【００１６】
糸状の拭材は、吸水性の布、特に不織布製のパッド表面からクリーナ用ディスクの記録領域上方へ伸長し、また不織布製パッドはクリーナ用ディスクの表面、即ち記録面側に露出して該ディスクに装着されているので、布製パッドの表面にクリーニング液を滴下することにより、クリーニング液はパッド表面から直接糸状拭材へ伝わっていき、常に適切な濡れ性で糸状拭材が湿り状態となり、効果的に光ヘッドのレンズ面を清掃することができる。
【００１７】
また、従来の湿式タイプのようにクリーナ用ディスクの裏面に液を滴下し、ディスクの極細の糸材挿通孔を経て表面側の糸材へ液を浸潤させる構造と比べて、本発明では、液が糸材の先端まで行きわたらないという不具合はなくなる。また、従来タイプのように糸材をクリーナ用ディスクの極細の小孔に通す困難な作業も不要であり、糸状拭材を取り付けた布製パッドをディスク表面に貼着するだけでよいので、製作も極めて容易である。
【００１８】
さらに本発明の請求項２，３の構成によれば、クリーナ用ディスクの記録領域がディスク上の拭材によって邪魔されることがなく、また、光ヘッドが初期信号を読取る位置でレンズをクリーニング液で清掃できる。
【発明を実施するための最良の形態】
【００１９】
本発明による実施形態として、吸水性の、例えば不織布製のパッドの表面から裏面にかけて斜めに糸状拭材を縫い込んでその先端をパッド表面から所定の長さに伸長させ、クリーナ用光ディスクの表面側、即ち記録面側の面に形成した凹部に、前記糸状拭材を縫い込んだ前記パッドを固着し、このパッドの面にクリーニング液を１〜２，３滴、滴下するようにした。
次に、本発明を、各種の実施例について図面を参照して詳細に説明する。
【実施例１】
【００２０】
図２は本発明の実施形態１による光ヘッドクリーナの表面側からみた平面図、図３は図２のＡ−Ａ線断面図である。まず、クリーナ用ディスク１０は通常の光ディスクと内外径同じ形態を有し、表面には記録領域１１と、その内側（中心側）および外側（外周側）に非記録領域の環状帯部１５とが形成されている。ディスク１０の表面側で記録領域１１の任意の位置に凹部１２が形成され、この凹部１２に本発明に係るクリーナパッド１３が固着されている。クリーナパッド１３の表面から糸状の拭材１４が所定の長さでクリーナ用ディスク１１の記録領域１１の上方へ伸長している。２２は光ディスク装置の回転駆動軸に係合するディスク中心孔である。
【００２１】
クリーナパッド１３は、図３に拡大して示すように、ディスク表面１０ａの凹部１２に緊密に装填される大きさの吸水性の布材、例えば不織布などの布材を有しており、この布材に複数本束ねた糸状拭材１４が埋込みあるいは縫込みなどの手段で取り付けられている。図示の実施形態では、糸状拭材１４は、まずパッド１３の表面１３ａからパッド裏面１３ｂ側へ縫い込むように挿通され、さらにこの裏面１３ｂを適当な縫い巾でまたぐように表面１３ａ側へ縫い通されて、縫い始めのパッド表面から伸長した糸端部１４ａとほぼ同じ長さで切断される。このような操作を適当な回数、例えば１〜４回程度繰り返して、パッド表面に適当な間隔を有した２束の糸束状拭材１４が伸長される。なお、ここで使用される拭材となる糸は極細の繊維糸である。パッド裏面では、糸状拭材の折り返し部分、即ちパッド裏面側に露出している糸材部分は適当な粘着テープや粘着パッチをパッド裏面に貼り付けて固定するのがよい。
【００２２】
クリーナパッド１３の厚みは、ディスク表面１０ａに形成される凹部１２の深さに対応しており、パッド１３を凹部１２に装着したとき、パッド表面がディスク表面１０ａと略同一面になるような厚みに形成されている。なお、パッド１３は凹部１２に接着剤を介して装着、固定される。
【００２３】
光ヘッドの清掃に当っては、まず、上述の光ヘッドクリーナ１６の布製クリーナパッド１３にクリーニング液１７を１，２滴たらしておいて、この光ヘッドクリーナ１６を光ディスク装置に、通常の光ディスクを装填するのと同じようにセットする。クリーニング液としては、例えば水に精製アルコールを加えたものが推奨される。
【００２４】
クリーナパッド１３に漬されたクリーニング液は糸の毛管現象によりパッド１３から直接糸状拭材１４に伝わって拭材先端１４ａへと浸潤していき、糸状拭材全体が適度に湿った状態となる。この状態で光ディスク装置を作動させることにより、光ディスク形態の光ヘッドクリーナ１６は高速で回転し始め、光ヘッド１８がディスクに向って降下してトック信号を読み込んだ後、ディスク径方向に走行し、この間に光ヘッドクリーナ１６の回転継続によって光ヘッド１８のレンズ１９が糸状拭材１４と繰り返し接触して清掃される。なお、クリーナパッド上にクリーニン液をたらす場合は、クリーニング液を収容した軟質樹脂容器（図示省略）を指で押圧して容器先端のノズルから１〜２滴ほど滴下させる。
【実施例２】
【００２５】
上述の実施形態１では、クリーナ用ディスクの表面に湿式タイプの前記パッドに固着された糸状拭材のみを設けた例を示したが、他の実施形態として、この湿式タイプの拭材に加えて乾式の拭材を併せて設けることもできる。乾式の糸状拭材は従来例でも説明したように、極細の糸を複数本密に束ねてブラシ状とし、クリーナ用ディスクの記録面に植え込むか、あるいは糸束の根元を適当な基材に固着し、この基材をディスク表面に形成した凹部あるいは溝に装着して糸の先端をクリーナ用ディスクの記録面上方へ伸長させる。
なお、クリーナパッドの平面形状は円形のものに限定されず、長方形、３角形その他任意の形状のものでもよいことは勿論である。
【００２６】
乾式糸状拭材と湿式糸状拭材の設置位置関係は任意でよく、両タイプの拭材が同じトラック上（ディスク中心から同一半径上）に設けてもよいが、好ましくは乾式糸状拭材と湿式糸状拭材を異なる半径上に、また周方向にずらせて設置してもよい。これによって湿式拭材で擦られた光ヘッドのレンズ面を乾式拭材で擦過して、汚れとともにクリーニング液をぬぐい取ることができ、一層効果的なレンズ清掃が行える。
【実施例３】
【００２７】
図４は本発明の実施形態３に係る光ヘッドクリーナの平面図、図５は図４のＢ−Ｂ線拡大断面図である。この実施形態３ではクリーナ用ディスク１０の記録領域１１に隣接して、かつ、記録領域１１を外れた内側の非記録領域２０のディスク表面１０ａに凹部１２が形成されており、この凹部１２に、糸状拭材１４を固着した吸水性の不織布からなる布製パッド１３が適当な接着剤等によって装着されている。
【００２８】
この実施形態の糸状拭材は、図６に拡大して示すように、ディスク表面１０ａに対してほぼ４５°〜６０°程度の傾斜角αでディスク外周側へ向って傾斜して布製パッド１３に固着されている。より具体的には、糸状拭材１４はパッド１３の片端部近く（ディスク中心と反対側）の表面１３ａから斜めに縫い通され、パッド裏面１３ｂで折り返されて、再び斜めに表面１３ａ側へ縫い通され、非記録領域２０のパッド表面から所定長さで記録領域１１の上方へ伸長させて縫い始めの糸端部と縫い終りの糸端部を揃えて切断される。この動作を適当な回数、１例としては２〜４回程度繰り返して糸束状にパッド表面から突出させる。
【００２９】
糸材はある程度の腰の強さを有するため、糸状拭材１４はディスク表面１０ａの非記録領域２０から記録領域１１側へ、かつ該領域１１の上方へ傾斜状態で伸長する。実施形態３では、拭材１４の先端１４ａはディスクの最内側の記録領域の部分からやや外側に寄った位置の上方、つまり初期信号が書き込まれている部分の上方に位置し、光ヘッドが焦点の合う位置へ降下した状態でレンズの中心およびその近傍に拭材先端が接触するようにしている。
【００３０】
この実施形態３においても、使用の際はパッド表面にクリーニング液を１〜２滴たらし、糸の毛管現象あるいは液の浸透作用でパッド面から糸状拭材１４に直接液が伝わっていき、拭材先端部１４ａが適度に湿った状態となる。この状態で、この光ヘッドクリーナ１６を光ディスク装置に装填し、プレイボタンを押すと、光ヘッドクリーナが回転を開始し、同時に光ヘッドが記録領域１１の最内側部分の上方に移動して初期信号を読み出す。このときに拭材１４の先端部１４ａが光ヘッドのレンズの中心（レンズ先端）およびその近傍を擦過してレンズ上のほこりや染み等の汚れを拭き取る。図５はこのときの状態である。なお、図５でＳは記録領域の範囲である。初期信号の読み出し後、清掃終了等のメッセージに続いて特性確認のためのテスト音や画像が読み出される。
【００３１】
上述のようにこの実施形態３では、糸状拭材の布製パッドをクリーナ用ディスクの非記録領域に配置し、拭材先端部をディスク内周側の記録領域の上方へ斜めに伸ばし、光ヘッドが初期信号の読出し位置にきた状態で、実際にレーザ光の出入するレンズ先端中心部に拭材先端部が接触するようにしたので、クリーナ用ディスクの記録面自体は拭材に何ら邪魔されることなく、記録面全域を清掃メッセージやテスト音、テスト画像の記録用として使用でき、従来のように作動開始から拭材の位置まで無音の状態が続くといった不都合がなくなる。クリーニング液はディスク表面のクリーナパッドから直接糸状拭材に伝わるので、糸状拭材は使用中常に湿った状態に保持され、効果的に光ヘッドの汚れを拭き取ることができる。
【図面の簡単な説明】
【００３２】
【図１】湿式タイプの光ディスク装置の光ヘッドクリーナの従来例を示す断面図である。
【図２】本発明の実施形態１による光ヘッドクリーナの表面側からみた平面図である。
【図３】図２のＡ−Ａ線拡大断面図である。
【図４】本発明の実施形態３による光ヘッドクリーナの平面図である。
【図５】図４のＢ−Ｂ線拡大断面図である。
【図６】本発明の実施形態３におけるクリーナパッドと糸状拭材との関係を示す光ヘッドクリーナの部分的な拡大断面図である。
【符号の説明】
【００３３】
１０  クリーナ用ディスク
１１  記録領域
１２  凹部
１３  クリーナパッド
１４  糸状拭材
１６  光ヘッドクリーナ
１７  クリーニング液
１８  光ヘッド
１９  レンズ
【図１】
2008269685.tif 000003
【図２】
2008269685.tif 000004
【図３】
2008269685.tif 000005
【図４】
2008269685.tif 000006
【図５】
2008269685.tif 000007
【図６】
2008269685.tif 000008